【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
無応答モードで動作し、１対多サービスのためのデータユニットを処理する無線リンク制御エンティティであって、
該エンティティは、
１つ以上の論理チャネルまたは１つ以上のセル領域からプロトコルデータユニットを受信し、並び替えることにより、該プロトコルデータユニットが順次的な伝達のために処理されることを確実にする並び替え要素であって、該プロトコルデータユニットは、該１対多サービスに対して構成された１対多サービストラフィックチャネルを介して受信される、並べ替え要素を備え、
各１対多サービストラフィックチャネルは、各１対多サービスに対して構成され、
該並び替え要素は、該無線リンク制御エンティティにおける第１の受信機能であり、
第１の変数および第２の変数は、該並び替え要素のために使用され、
該第１の変数は、受信されることが期待される次のプロトコルデータユニット（ＰＤＵ）のシーケンス番号（ＳＮ）に関連し、該第２の変数は、該受信されたプロトコルデータユニット（ＰＤＵ）の全てのシーケンス番号のうちの最高のシーケンス番号（ＳＮ）に関連し、
無応答モード（ＵＭ）で動作している該無線リンク制御（ＲＬＣ）エンティティにおいて該並び替え要素が構成されたときに、該第１の変数および該第２の変数が使用される、エンティティ。
【請求項２】
前記並び替え要素によって受信された前記プロトコルデータユニットを格納する受信バッファ要素と、
該受信されたプロトコルデータユニットのヘッダを除去する無線リンク制御ヘッダ除去要素と、
シーケンス番号に基づいて該受信されたプロトコルデータユニットを再構成することにより、１つ以上のサービスデータユニットを形成し、該サービスデータユニットを上位層に伝達する再構成要素と
をさらに備える、請求項１に記載のエンティティ。
【請求項３】
前記並び替え要素の前に前記プロトコルデータユニットを受信して、該プロトコルデータユニットが前記１対多サービストラフィックチャネル以外のチャネルを介して受信された場合に、該プロトコルデータユニットに対して復号化を実行する復号化要素をさらに備える、請求項２に記載のエンティティ。
【請求項４】
前記並び替え要素は、前記受信されたプロトコルデータユニットのシーケンス番号と、受信ウィンドウと、タイマーとを使用する、請求項１に記載のエンティティ。
【請求項５】
前記１対多サービストラフィックチャネルは、ＭＢＭＳ１対多トラフィックチャネル（ＭＴＣＨ）である、請求項１に記載のエンティティ。
【請求項６】
前記並び替え要素は、上位層から受信される指示によって構成される、請求項１に記載のエンティティ。
【請求項７】
前記並び替え要素は、受信されるプロトコルデータユニットの並び替えを実行するか否かを指示する識別子によって構成される、請求項１に記載のエンティティ。
【請求項８】
前記第２の変数は、前記最高のシーケンス番号（ＳＮ）の次の値である、請求項１に記載のエンティティ。
【請求項９】
前記第２の変数はまた、受信ウィンドウの上限値に関連する、請求項１に記載のエンティティ。
【請求項１０】
第３の変数もまた前記並び替え要素のために使用され、該第３の変数は、並び替えタイマーが設定した前記プロトコルデータユニットに対応するシーケンス番号と等しくなるように設定される、請求項１に記載のエンティティ。
【請求項１１】
前記第３の変数は、前記無線リンク制御エンティティの受信器機能におけるシーケンスにおいてプロトコルデータユニットを次へと伝達することをトリガーするために使用される、請求項１０に記載のエンティティ。
【請求項１２】
受信ウィンドウおよび／または無線リンク制御（ＲＬＣ）層において実行されるタイマーを使用して１対多サービスの複数のプロトコルデータユニット（ＰＤＵ）を並び替える方法であって、
該方法は、
該無線リンク制御（ＲＬＣ）層が下位層から複数の入力を介して該複数のプロトコルデータユニット（ＰＤＵ）を受信するときに、該複数のプロトコルデータユニット（ＰＤＵ）に対する並び替え機能を構成することと、
該受信されたプロトコルデータユニットの各々が該受信ウィンドウ内にあるか否かを決定することと、
該受信ウィンドウ内にある場合に、
該受信されたプロトコルデータユニットを、シーケンス番号によって指示される位置においてバッファ内に配置するか、または該受信されたプロトコルデータユニットが以前に受信されている場合に該受信されたプロトコルデータユニットを廃棄することと、
該受信されたプロトコルデータユニットのシーケンス番号が次に期待されるシーケンス番号である場合に該受信されたプロトコルデータユニットを上位エンティティに伝達することと、
該受信ウィンドウ内にない場合に、
該受信されたプロトコルデータユニットをバッファに格納することであって、該受信ウィンドウは必要に応じて前進される、ことと
を包含する、方法。
【請求項１３】
前記並び替え機能は、ネットワークまたは上位層からインジケータを受信することによって構成される、請求項１２に記載の方法。
【請求項１４】
前記インジケータは、受信される複数のプロトコルデータユニットの並び替えを実行するか否かを指示する、請求項１３に記載の方法。
【請求項１５】
前記複数の入力は、複数のセルまたは複数のチャネルから受信される、請求項１２に記載の方法。
【請求項１６】
前記上位エンティティは、上位無線リンク制御（ＲＬＣ）エンティティまたは別の上位層である、請求項１２に記載の方法。
【請求項１７】
前記複数のプロトコルデータユニット（ＰＤＵ）は、前記１対多サービスに対して構成された１対多サービストラフィックチャネルを介して受信される、請求項１２に記載の方法。
【請求項１８】
各１対多サービストラフィックチャネルは、各１対多サービスに対して構成される、請求項１７に記載の方法。
【請求項１９】
前記１対多サービストラフィックチャネルは、ＭＢＭＳ１対多トラフィックチャネル（ＭＴＣＨ）である、請求項１７に記載の方法。
【請求項２０】
前記受信されたプロトコルデータユニットが前記受信ウィンドウ内にない場合に、
前記シーケンス番号によって指示される前記バッファに該受信されたプロトコルデータユニット（ＰＤＵ）を格納することと、
該受信ウィンドウを更新することと
をさらに包含する、請求項１２に記載の方法。
【請求項２１】
前記受信ウィンドウは、前記シーケンス番号＋１に等しくなるように該受信ウィンドウの上限値を設定することによって、更新される、請求項２０に記載の方法。
【請求項２２】
前記更新された受信ウィンドウの外にあるプロトコルデータユニット（ＰＤＵ）を予約することをさらに包含する、請求項２０に記載の方法。
【請求項２３】
前記受信されたプロトコルデータユニット（ＰＤＵ）の次に期待されるシーケンス番号が前記更新された受信ウィンドウ以下であるか否かを決定することをさらに包含する、請求項２２に記載の方法。
【請求項２４】
前記次に期待されるシーケンス番号が前記更新された受信ウィンドウ以下である場合に、該受信ウィンドウの上限値−受信ウィンドウサイズ＋１に等しくなるように該次に期待されるシーケンス番号を更新することをさらに包含する、請求項２３に記載の方法。
【請求項２５】
前記次に期待されるシーケンス番号に対応する前記受信されたプロトコルデータユニットの各々が前記バッファに格納されているか否かを決定することをさらに包含する、請求項１２に記載の方法。
【請求項２６】
前記次に期待されるシーケンス番号に対応する前記受信されたプロトコルデータユニットの各々が前記バッファに格納されている場合に、
該次に期待されるシーケンス番号から、順次受信されていない第１のプロトコルデータユニットまでのプロトコルデータユニットを予約することと
該順次受信されていない第１のプロトコルデータユニットのシーケンス番号に等しくなるまで、該受信されたプロトコルデータユニットの該次に期待されるシーケンス番号を更新することと
をさらに包含する、請求項２５に記載の方法。
【請求項２７】
前記次に期待されるシーケンス番号に対応する前記受信されたプロトコルデータユニットの各々が前記バッファに格納されていない場合に、並び替えタイマーが動作しているか否かを決定することをさらに包含する、請求項２５に記載の方法。
【請求項２８】
前記並び替えタイマーが動作していると決定された場合に、
タイマー指示番号に対応するプロトコルデータユニットが予約されている場合に前記並び替えタイマーを停止することをさらに包含する、請求項２７に記載の方法。
【請求項２９】
前記並び替えタイマーが動作していないと決定された場合に、
該並び替えタイマーが動作していないか否かを決定することをさらに包含する、請求項２５に記載の方法。
【請求項３０】
前記並び替えタイマーが動作していると決定された場合に、
前記バッファに格納されているが予約されていないプロトコルデータユニットが存在する場合に、
予約されたプロトコルデータユニット（ＰＤＵ）に対する損失または紛失プロトコルデータユニットに関連するサービスデータユニット（ＳＤＵ）を廃棄することと、
前記受信されたプロトコルデータユニット（ＰＤＵ）に対して、サービスデータユニット（ＳＤＵ）を復元して、前記上位層に伝達することと
をさらに包含する、請求項２９に記載の方法。
【請求項３１】
前記並び替えタイマーが動作していないと決定された場合に、
前記バッファに格納されているが予約されていないプロトコルデータユニットが存在する場合に、
該バッファ内の予約されていないプロトコルデータユニットから最高のシーケンス番号を有するプロトコルデータユニットに対して並び替えタイマーを動作させることと、
最高のシーケンス番号を有するプロトコルデータユニットのシーケンス番号に等しくなるようにタイマー指示番号を設定することと、
該バッファに格納されているが予約されていないプロトコルデータユニットが存在しない場合に、
予約されたプロトコルデータユニット（ＰＤＵ）に対する損失または紛失プロトコルデータユニットに関連するサービスデータユニット（ＳＤＵ）を廃棄することと、
前記受信されたプロトコルデータユニット（ＰＤＵ）に対して、サービスデータユニット（ＳＤＵ）を復元して、前記上位層に伝達することと
をさらに包含する、請求項２９に記載の方法。